(57)【要約】 【課題】比較的安価であるにも拘わらず、確実にロック状態を保つことができ、防犯上極めて安全な施錠装置を提供する。【解決手段段】ラッチ（１２）を有するドアキー（１０ａ）と、該ドアキーと所定の間隔をおいて配置されているロック解除装置（２０）とから構成する。ロック解除装置（２０）は、ピストンシリンダユニット（２６）と、該ピストンシリンダユニットに作動流体を給排する切替弁（２８）と、該切替弁を切り換える受信器（３０）とから構成し、これらを表材（２）の内側に設ける。受信器（３０）が外部から送信される信号をキャッチすると、切替弁（２８）が切り替わってピストンシリンダユニット（２６）の作動によりラッチ（１２）が引っ込みロック状態が解除される。【選択図】図１  
2005171615.tif 000002
【特許請求の範囲】
【請求項１】
ドアキーと、該ドアキーと所定の間隔をおいて配置されているロック解除装置とからなり、前記ドアキーは、建物の開口部を開閉するようになっている開き戸あるいは引き戸の縁近傍の表材の内側に設けられ、そのラッチが前記開口部の戸枠に設けられているラッチ穴に入ると、前記開き戸あるいは引き戸が前記戸枠に対してロックされるようになっており、前記ロック解除装置は、ピストンシリンダユニットと、該ピストンシリンダユニットに作動流体を給排する切替弁と、該切替弁を切り換える受信器とからなり、これらが表材の内側に設けられ、そして前記受信器が外部から送信される信号をキャッチすると、前切替弁が切り替わって前記ピストンシリンダユニットの作動により前記ラッチが引っ込みロック状態が解除されることを特徴とする施錠装置。
【請求項２】
複数個のドアキーと、該ドアキーと所定の間隔をおいて配置されているロック解除装置とからなり、前記ドアキーは、建物の開口部を開閉するようになっている開き戸あるいは引き戸の縁近傍の表材の内側に所定の間隔をおいて設けられ、それらのラッチが前記開口部の戸枠に設けられているそれぞれのラッチ穴に入ると、前記開き戸あるいは引き戸が前記戸枠に対してロックされるようになっており、
前記ロック解除装置は、ピストンシリンダユニットと、該ピストンシリンダユニットと前記ラッチとの間に介在されている操作レバーと、前記ピストンシリンダユニットに作動流体を給排する切替弁と、該切替弁を切り換える受信器とからなり、これらが表材の内側に設けられ、そして前記受信器が外部から送信される信号をキャッチすると、前切替弁が切り替わって前記ピストンシリンダユニットにより前記操作レバーを介して前記ラッチが引っ込みロック状態が解除されることを特徴とする施錠装置。
【請求項３】
請求項１または２に記載の施錠装置において、開き戸あるいは引き戸の内側からはドアキーのラッチを手動的に操作してロック状態を解除できる施錠装置。
【請求項４】
請求項１〜３のいずれかの項に記載の施錠装置において、作動流体が建物等の構造物に付随して設けられているエアラインから供給される空気である施錠装置。
【請求項５】
請求項１〜３のいずれかの項に記載の施錠装置において、作動流体がガスボンベに詰められている窒素ガスである施錠装置。
【発明の詳細な説明】
【技術分野】
【０００１】
本発明は、ドアキーとロック解除装置とからなる施錠装置に関し、さらに詳しくは、建物の開口部を開閉するようになっている開き戸あるいは引き戸の縁近傍に設けられ、そのラッチが前記開口部の戸枠に設けられているラッチ穴に入ると、前記開き戸あるいは引き戸が前記戸枠に対してロックされるドアキーと、このドアキーのラッチを戸枠のラッチ穴から引き込めてロック状態を解除するロック解除装置とからなる施錠装置に関するものである。
【背景技術】
【０００２】
建物の開口部あるいは出入り口には、一般に開き戸が設けられている。このような開き戸は、蝶番などにより回転駆動可能に戸枠に取り付けられ、また取っ手も取り付けられている。さらには、キーで操作される錠前あるいは暗証番号で操作されるドアロック装置も設けられている。したがって、取っ手をもって開き戸を開閉できるし、また錠前あるいはドアロック装置によりロックすることもできる。
一方、障子、雨戸等にみられるようにスライド的に駆動されるようになっている引き戸もよく知られている。この引き戸にも取っ手が取り付けられ、また引き戸には戸枠の鍵受に引っかける鍵あるいは２枚の引き戸を一体化してロックするロックボルト仕掛も設けられている。
【０００３】
【特許文献１】特開平８−１７７２４３号
【特許文献２】特開２００２−２２７４８７
【０００４】
特許文献１には、第１扉であるドアと、このドアよりも外廊側の第２扉としての門扉とを備えた玄関構造が示されている。また、特許文献２には施錠部材を備えた防犯錠が示されている。
【発明の開示】
【発明が解決しようとする課題】
【０００５】
従来の開き戸にも錠前が設けられているので、施錠することにより盗難に対して一応安全が保たれるようになっている。しかしながら、最近の世情にみられるように、鍵穴から手工具を差し込みラッチ機構を外す、いわゆるピッキングが多発しているが、従来の錠前はこのようなピッキングに対しては無力である。また、特許文献１に示されている装置は集合住宅の玄関構造に関するもので、防犯性とプライバシーは保たれるとしても、ピッキングに対しては万全ではない。特許文献２に記載されている防犯錠も施錠部材の紛失は防げるにして防犯あるいはピッキングに対しては何ら解決されていない。
このようなピッキングに対して、錠前の改良も色々試みられているが、未だ満足のいく製品は提案されていないのが実情である。一方、警備保障会社による安全対策も採られているが、人件費あるいは維持費か高く、警備保障会社による防犯は大衆向きとはいえない。さらには、集合住宅では管理人を常駐させることも行われているが、人件費がかさむ問題があり、また個人住宅には適用できない欠点がある。上記のような問題点あるいは欠点は、引き戸についてもいえる。
本発明は、上記したような従来の事情に鑑みてなされたもので、比較的安価であるにも拘わらず、確実にロック状態を保つことができ、防犯上極めて安全な施錠装置を提供することを目的としている。
【課題を解決するための手段】
【０００６】
本発明は、上記目的を達成するために、ラッチ機構からなるドアキーが設けられる。ドアキーは、建物の開口部に設けられている戸枠のラッチ穴に入るラッチを備え、このラッチはロック解除装置により解除されるようになっている。ロック解除装置は、ドアキーから所定距離間隔をおいて設けられている。このロック解除装置は、水道水圧、空気圧、炭酸ガス、窒素ガス等のガス圧、望ましくは空気圧により作動するピストンシリンダユニットから構成される。そして、このピストンシリンダユニットに流体圧が供給されると、バネ付勢されているラッチが戸枠のラッチ穴から引き出され、それによってロック状態が解除されるようになっている。このようなドアキーは、望ましくは、従来の錠前の他に重複して設けられる。ドアキーは、１個の開き戸あるいは引き戸に対して１個宛取り付けることもできるし、複数個宛設けることもできる。複数個設けられる場合も、望ましくは１個のロック解除装置によりラッチが外されるように構成される。
【０００７】
上記のようにして、請求項１に記載の発明は、本発明の前記目的を達成するために、ドアキーと、該ドアキーと所定の間隔をおいて配置されているロック解除装置とからなり、前記ドアキーは、建物の開口部を開閉するようになっている開き戸あるいは引き戸の縁近傍の表材の内側に設けられ、そのラッチが前記開口部の戸枠に設けられているラッチ穴に入ると、前記開き戸あるいは引き戸が前記戸枠に対してロックされるようになっており、前記ロック解除装置は、ピストンシリンダユニットと、該ピストンシリンダユニットに作動流体を給排する切替弁と、該切替弁を切り換える受信器とからなり、これらが表材の内側に設けられ、そして前記受信器が外部から送信される信号をキャッチすると、前切替弁が切り替わって前記ピストンシリンダユニットの作動により前記ラッチが引っ込みロック状態が解除されるように構成される。
請求項２に記載の発明は、複数個のドアキーと、該ドアキーと所定の間隔をおいて配置されているロック解除装置とからなり、前記ドアキーは、建物の開口部を開閉するようになっている開き戸あるいは引き戸の縁近傍の表材の内側に所定の間隔をおいて設けられ、それらのラッチが前記開口部の戸枠に設けられているそれぞれのラッチ穴に入ると、前記開き戸あるいは引き戸が前記戸枠に対してロックされるようになっており、前記ロック解除装置は、ピストンシリンダユニットと、該ピストンシリンダユニットと前記ラッチとの間に介在されている操作レバーと、前記ピストンシリンダユニットに作動流体を給排する切替弁と、該切替弁を切り換える受信器とからなり、これらが表材の内側に設けられ、そして前記受信器が外部から送信される信号をキャッチすると、前切替弁が切り替わって前記ピストンシリンダユニットにより前記操作レバーを介して前記ラッチが引っ込みロック状態が解除されるように構成される。請求項３に記載の発明は、請求項１または２に記載の施錠装置において、開き戸あるいは引き戸の内側からはラッチを手動的に引っ込ませてロック状態を解除できるように、請求項４に記載の発明は、請求項１〜３のいずれかの項に記載の施錠装置において、作動流体が建物等の構造物に付随して設けられているエアラインから供給される空気であるように、そして請求項５に記載の発明は、請求項１〜３のいずれかの項に記載の施錠装置において、作動流体がガスボンベに詰められている窒素ガスであるように構成される。
【発明の効果】
【０００８】
以上のように、本発明による施錠装置は、ラッチを有するドアキーと、ラッチを解除するロック解除装置とからなっていて、ラッチ解除装置はドアキーから所定の間隔をおいて設けられているので、すなわちドアキーにはラッチを外すキー穴がないので、開き戸あるいは引き戸の外側から不法操作されるピッキングに対して万全である。また、ラッチ解除装置は送信機からの電波により作動するので、換言すると、表材の表面にはラッチ解除装置は現れておらず、送信機を使用しない限りラッチを解除することができないから、さらに安全である。また、本発明によると、ロック解除装置が流体で作動するピストンシリンダユニットからなっているので、災害時のような停電時にも確実にラッチ状態を解除することができる特有の効果が得られる。
【発明を実施するための最良の形態】
【０００９】
以下、図１により、本発明の実施の形態を説明する。本発明は、前述もしたように、引き戸にも適用できるが、以下開き戸に適用した実施の形態を説明する。また、ドアキーは１個でも実施できるが、図１に示されているように３個で、そしてロック解除装置は１個で実施し、作動流体として空気を適用した例について説明する。本実施の形態に係わる開き戸１は、化粧板あるいは表材２と裏材３とから２重構造に形成され、そしてこれらの表裏材２、３の間の空間に、詳しくは後述するように、３個の第１〜３のドアキー１０ａ、１０ｂ、１０ｃと、これらのドアキー１０ａ、１０ｂ、１０ｃと所定の間隔をおいてロック解除装置２０とが設けられている。ロック解除装置２０は、詳しくは後述するように操作レバー２１、ピストンシリンダユニット２６、方向切替弁２８、ワイヤレスレシバー３０、空気タンク３１等から構成されている。
【００１０】
開き戸１は、略長方形を呈している。そして、その１側が、従来周知のように、建物の開口部に設けられている戸枠に、蝶番等により回動自在に取り付けられるが、戸枠も、蝶番も図１には示されていない。戸枠には、第１〜３のドアキー１０ａ、１０ｂ、１０ｃに対応してロック時にラッチが入るラッチ穴が形成されているが、ラッチ穴も当然ながら図には示されていない。このような形状を呈する開き戸１の３辺４、５、６すなわち３縁の近傍に第１〜３のドアキー１０ａ、１０ｂ、１０ｃが設けられている。これらのドアキーは同じ構造をしているので、以下主として第１のドアキー１０ａについて説明する。ドアキー１０ａは、ラッチケース１１とラッチ１２とからなっている。ラッチケース１１内には、その構造について詳しくは説明しないが、先端部がテーパ状に切り落とされているラッチ１２が設けられている。ラッチ１２は、図１に示されているように、ラッチケース１１から戸枠の方へ突き出る第１の位置と、内部へ退避する第２の位置とを採るようにスライド自在で、通常はバネにより第１の位置をとるように付勢されている。すなわち、ラッチが掛かるようにバネ付勢されている。このように構成されているラッチケース１１がブラケット１３により表材２の裏側に取り付けられている。
【００１１】
ラッチ解除装置２０は、クロス状を呈する操作レバー２１、この操作レバー２１を半回動的に駆動するピストンシリンダユニット２６、このピストンシリンダユニット２６に圧力空気を給排する方向切替弁２８、ワイヤレスレシーバ３０、空気タンク３１等からなっている。操作レバー２１は、４本の第１〜第４のアーム２２〜２５からなり、これらのアーム２２〜２５の交差部の中心部Ｃが回動の中心になるように表材２の裏側に取り付けられている。第１のアーム２２の先端部には、ピストンシリンダユニット２６のピストンロッド２７の先端部が回動可能に取り付けられている。したがって、ピストンロッド２７が伸びると、操作レバー２１は中心部Ｃを中心として反時計針方向に回動する。また、第２〜４のアーム２３〜２５の先端部と、第１〜３のドアキー１０ａ、１０ｂ、１０ｃのラッチ１２の後端部は、第１〜３の連結ロッドあるいはワイヤケーブルＷ１〜Ｗ３により接続されている。したがって、操作レバー２１が図１に示されている方向に回転駆動されると、ラッチ１２、１２、…がバネに抗して引かれ、ラッチ穴から出て、ラッチケース１１、１１、…内に引っ込むことになる。図１には示されていないが、操作レバー２１には裏材３から外部へ出た取っ手が設けられ、この取っ手を手動的に回動させることにより、ラッチ１２、１２、…を解くことができるようにもなっている。
【００１２】
ピストンシリンダユニット２６は、従来周知のように、シリンダと、このシリンダ内に往復動自在に設けられているピストンとからなり、そのピストンロッド２７の先端部が、前述したように操作レバー２１の第１のアーム２２に枢着されている。方向切替弁２８も、従来周知のように構成され、その一方の入り口ポートには空気タンク３１に接続され、そして他方のポートは大気中へ開放されている。２個の出口ポートは、ピストンシリンダユニット２６のピストンヘッド室とピストンロッド室とにそれぞれ接続されている。この方向切替弁２８のスプールには切換ロッド２９が接続され、このロッド２９はワイヤレスレシーバ３０に接続されている。したがって、ワイヤレスレシーバ３０が、送信器からの信号を受信すると、その駆動部が切換ロッド２９を介して方向切替弁２８のスプールを駆動する。
【００１３】
空気タンク３１には、コンプレッサ３２が接続され、センサＳで検出される空気タンク３１中の圧力が所定値以下に下がると、コンプレッサ３２が起動し、常時一定圧の空気が貯えられるようになっている。なお、図１において、参照数字７は、錠前突きのノブを示している。
【００１４】
次に、上記実施の形態の作用について説明する。空気タンク３１には所定圧の圧縮空気が蓄圧されている。ノブ７を掴み開き戸１を閉める。必要に応じてノブ７に備わっている錠を掛ける。開き戸１を閉めるとき、第１〜３のドアキーのラッチ１２、１２、…は戸枠のラッチ穴の縁にガイドされて、バネに抗して一旦ラッチケース１１、１１、…の中へ退避する。閉動作が完了すると、ラッチ１１、１１、…は解放されて、バネの復元力により戸枠のラッチ穴入る。すなわち、ラッチ１１、１１、…は第１の位置をとり開き戸１は戸枠に対してロックされる。
【００１５】
利用者が開き戸１の外側にいるときは、送信機によりワイヤレスレシーバ３０に向けて信号を送る。そうすると、方向切替弁２８が切り替わり、圧縮空気がピストンシリンダユニット２６のピストンヘッド室に供給され、そのピストンロッド２７が操作レバー２１を反時計針方向に回動させる。これにより、第１〜３のドアキー１０ａ〜１０ｃのラッチ１２、１２、…は、ワイヤケーブルＷ１〜Ｗ３により、バネに抗して第２の位置すなわちラッチケース１１、１１、…の中へ退避する。今は、ロック状態が解けているので、ノブ７をもって開く。利用者が開き戸１の内側にいるときも、上記のようにして、操作する。あるいは内側からは、操作レバー２１を直接的に操作して、ラッチ１１、１１、…を第２の位置へ退避させる。上記のようにして、開き戸１を開閉すると、空気タンク３１中の空気圧が低下する。そうすると、これをセンサＳが検知してエアコンプレッサ３２が起動し、所定圧の空気が蓄積される。
【００１６】
本発明は、上記実施の形態に限定されることなく、いろいろな形で実施できる。例えば、図１に示されている実施の形態では、圧縮空気はコンプレッサ３２により空気タンクに蓄えられるようになっているが、エアラインを備えた建物においては、このエアライン中の圧力空気を利用することもできる。また、ピストンシリンダユニット２６に供給される空気量は少ないので、ボンベに詰められた圧縮空気でも、さらには比較的容易、且つ安価に入手できる窒素ガスでも実施できる。また、炭酸ガス等の空気以外のガスでも実施できることは明らかである。このときは、図１において鎖線で示されているように、ピストンロッド側の排出管をエアコンプレッサ３２の吸い込み口に接続し、循環系にするのが望ましい。給排ホースを適宜配管することにより、空気圧に代えて水道水の水圧でも実施できる。
【００１７】
本実施の形態では、ワイヤレスレシーバ３０を独立して備えているが、方向切替弁２８と一体化し、方向切替弁２８を直接駆動するようにも実施できる。また、乾電池あるいは充電可能な蓄電池を備え、停電時にも開閉できるよう実施できることも明らかである。このときは、自動車のワイヤレスキーにみられるように、ラジコン的に遠隔操作によりラッチを駆動することができる。なお、方向切替弁２８、ワイヤレスレシーバ３０、空気タンク３１、エアコンプレッサ３２等は、開き戸１の内部以外の適所に配置できることも明らかである。
【図面の簡単な説明】
【００１８】
【図１】本発明の実施の形態を一部破断して示す斜視図である。
【符号の説明】
【００１９】
１              開き戸             
１０ａ〜１０ｃ  第１〜３のドアキー
１２            ラッチ                      ２０    ロック解除装置
２１            操作レバー    
２２〜２５      第１〜４のアーム
２６            ピストンシリンダユニット    ２８    方向切替弁
３１            空気タンク
【図１】
2005171615.tif 000003